(57)【要約】【課題】可撓性を有する光ディスクに対し簡素な構成にて回転ブレを抑制できる光ディスク装置を提供する。【解決手段】光ピックアップ装置の上面にスタビライザ６０１、６０２が装着されている。スタビライザ６０１、６０２は、ディスク周方向にレンズ部を挟むようにして配置される。光ピックアップ装置は、下向き状態で可撓性ディスクに向き合うよう配置される。可撓性ディスクが回転すると、スタビライザ６０１、６０２と可撓性ディスクとの間に流入する空気により、可撓性ディスクがスタビライザ６０１、６０２に吸引され、可撓性ディスクの回転ブレが抑制される。可撓性ディスクとスタビライザ６０１、６０２の間隔は、空気流入によるエアギャップに保たれる。【選択図】図４
2010135042.tif 000002
【特許請求の範囲】
【請求項１】
可撓性を有するディスクに対し情報を記録および／もしくは再生するための光ディスク装置において、
前記ディスクにレーザ光を照射する光ピックアップ装置と、
前記ディスクを回転させるディスク回転装置と、
前記ディスクを記録および／もしくは再生するための回路部と、を備え、
前記光ピックアップ装置は；
レーザ光源と、
前記レーザ光源から出射されたレーザ光を収束させるレンズ部と、
前記レンズ部を少なくとも光軸方向に駆動するためのアクチュエータと、
前記ディスクの回転時に前記ディスクと前記対物レンズとの距離を安定させるスタビライザと、を有する、
ことを特徴とする光ディスク装置。
【請求項２】
請求項１に記載の光ディスク装置において、
前記光ピックアップ装置は、前記ディスクの上面側から前記レンズ部が前記ディスクに向き合うように配置されている、
ことを特徴とする光ディスク装置。
【請求項３】
請求項２に記載の光ディスク装置において、
前記回路部は、前記ディスク回転装置を制御して前記ディスクを所定の回転速度に到達させた後に前記レンズ部と前記ディスクの間の間隔を所定の間隔に引き込むギャップサーボ部を有する、
ことを特徴とする光ディスク装置。
【請求項４】
請求項１ないし３の何れか一項に記載の光ディスク装置において、
前記レンズ部は、ソリッドイマージョンレンズおよび対物レンズを有し、
前記ソリッドイマージョンレンズは、前記対物レンズによって収束されたレーザ光を前記ディスク上に収束させるよう前記ディスク面に対向する、
ことを特徴とする光ディスク装置。
【請求項５】
請求項４に記載の光ディスク装置において、
前記光ピックアップ装置は；
前記レーザ光源から前記ソリッドイマージョンレンズへと向かう光路を逆行する前記レーザ光のうち前記ソリッドイマージョンレンズによって全反射されたレーザ光と同じ偏光方向のレーザ光を分離する分離光学系と、
前記分離光学系によって分離された前記レーザ光を受光する光検出器と、を有し、
前記ギャップサーボ部は、前記光検出器から出力される検出信号に基づいて前記ソリッドイマージョンレンズと前記ディスクとのギャップを調整するためのサーボ信号を生成する、
ことを特徴とする光ディスク装置。
【発明の詳細な説明】
【技術分野】
【０００１】
本発明は、可撓性を有するディスクに対し情報を記録および／もしくは再生するための光ディスク装置に関する。
【背景技術】
【０００２】
近年、デジタル技術の進歩に伴い、光ディスクの大容量化が求められている。光ディスクを大容量化させるための方法として、レーザ光のスポット径が微小化されることが挙げられる。スポット径の微小化は、レーザ光の波長が短くされることに加え、対物レンズの開口数（ＮＡ）が高められることにより実現される。このように、スポット径の微小化が進められると、対物レンズと光ディスクの記録面との距離が短く設定される必要が生じる。
【０００３】
しかしながら、従来の光ディスクにおいて、対物レンズと光ディスクの記録面との距離が短く設定されると、光ディスクの高速回転時に発生する回転ブレにより、対物レンズと光ディスクの表面が接触し、ピックアップの故障および光ディスクの破損が生じる惧れがある。さらに、光ディスクの回転ブレが大きい場合、また、高転送レートを実現するために毎分１万回以上で高速回転させる場合などに、光ディスク自体の破損を引き起こす惧れもある。
【０００４】
このような背景から、可撓性を有する薄膜に記録面が形成されたディスク（以下、「可撓性ディスク」という）の開発が進められている。かかる可撓性ディスクの記録および／もしくは再生時に、ディスクの回転ブレを安定させる姿勢安定化部材と可撓性ディスクとの間に流入する空気により、可撓性ディスクの回転ブレが抑制される情報記録再生装置が提案されている（たとえば、特許文献１参照）。
【０００５】
図１１は、情報記録ディスクの回転ブレの小さい領域で情報の記録および／もしくは再生を行う情報記録再生装置の概略図である。同図（ａ）は、情報記録再生装置の概略平面図であり、同図（ｂ）は、同図（ａ）中のａ−ａ断面図である。この例の情報記録再生装置１０は、可撓性を有する情報記録ディスク１に対して、情報の記録および／もしくは再生を行うための情報記録再生装置である。
【０００６】
同図（ａ）を参照して、情報記録再生装置１０は、ヘッド１１と、ヘッドアクチュエータ１２と、アーム１３と、姿勢安定化部材１４、スピンドル（図示せず）を有する。
【０００７】
ヘッド１１は、情報記録ディスク１に対して情報の記録および／もしくは再生を行う。ヘッドアクチュエータ１２は、アーム１３を介してヘッド１１を駆動する。スピンドルは、情報記録ディスク１を固定し、回転させる。
【０００８】
同図（ａ）および（ｂ）を参照して、姿勢安定化部材１４は、ヘッド移動部１４ａおよび対向面１４ｂを有する。
【０００９】
姿勢安定化部材１４は、情報記録ディスク１の記録面側に配置される板状部材である。姿勢安定化部材１４は、円周方向の幅が情報記録ディスク１の径方向の外周側に向かって直線的に広くなるよう形成されている。さらに、姿勢安定化部材１４は、姿勢安定化部材駆動用アクチュエータ（図示せず）により情報記録再生装置１０内で支持されており、情報の記録および／もしくは再生時には、情報記録ディスク１の周方向および径方向には移動しないよう構成されている。
【００１０】
ヘッド移動部１４ａは、姿勢安定化部材１４の中央部に、径方向に沿って形成された矩形状の穴である。ヘッド移動部１４ａの径方向の長さは、情報記録ディスク１の記録可能領域の径方向の長さ以上であることが好ましいとされている。また、ヘッド移動部１４ａの周方向の幅は、ヘッド１１の周方向の幅より大きくなるように形成されている。ヘッド移動部１４ａがこのような形状とされると、姿勢安定化部材１４が径方向および周方向に移動されることなく固定した状態で、ヘッド１１がヘッド移動部１４ａ内で径方向に移動されることにより、情報記録ディスク１の記録可能な全領域に情報が記録および／もしくは再生される。
【００１１】
対向面１４ｂは、情報記録ディスク１に対向する姿勢安定化部材１４の面である。対向面１４ｂは、凸状の湾曲面として形成されている。
【００１２】
次に、この構成例の動作について説明する。
【００１３】
まず、情報記録ディスク１がスピンドルの回転軸に装着され、ディスク固定子（図示せず）により固定される。その際、ヘッド１１および姿勢安定化部材１４は、情報記録ディスク１の装着の障害とならないよう、装着位置から十分離れた位置に待機させられる。情報記録ディスク１がスピンドルに装着された後、姿勢安定化部材１４が情報記録ディスク１の真上に配置される。
【００１４】
情報記録ディスク１が所定の回転数に達した後、姿勢安定化部材１４は、情報記録ディスク１の記録面側からスピンドルの回転軸方向に移動させられ、情報記録ディスク１に接近させられる（同図（ｂ）の矢印Ａ方向）。対向面１４ｂは凸状の湾曲面であり情報記録ディスク１面に対して傾斜した部分を有するので、姿勢安定化部材１４が情報記録ディスク１に近づけられると、対向面１４ｂと回転している情報記録ディスク１表面との間に流入する空気が圧縮される。そして、圧縮された空気流によりディスク表面を押す力、すなわち、正圧力（同図（ｂ）中の白抜き矢印Ｆ）が発生し、姿勢安定化部材１４に対向する情報記録ディスク１の表面領域がその力に押されて変形する。
【００１５】
さらに、姿勢安定化部材１４が情報記録ディスク１に近づけられると、情報記録ディスク１の変形量も大きくなり、情報記録ディスク１に働く張力も増大するため、情報記録ディスク１の回転ブレが抑制される。
【００１６】
次いで、情報記録ディスク１の変形量（同図（ｂ）中のＷ）または回転ブレ量が所定の値以下になった時点で、姿勢安定化部材１４の移動を停止する（同図（ｂ）の状態）。次いで、同図（ａ）に示すように、姿勢安定化部材１４の上面（対向面１４ｂとは逆側の面）から、ヘッド１１がヘッド移動部１４ａ内に挿入され、情報記録ディスク１上の所定の位置に配置される。これにより、情報記録ディスク１の情報の記録および／もしくは再生が行われる。
【００１７】
上記の構成例とすると、情報記録ディスク１の回転ブレの最も小さい領域において、情報記録ディスク１の情報の記録および／もしくは再生を行うことができる。
【特許文献１】特開２００６−１９０４０１号公報
【発明の開示】
【発明が解決しようとする課題】
【００１８】
しかしながら、上記構成例では、姿勢安定化部材１４は、情報記録ディスク１の径方向に内周から外周まで記録可能領域を覆うよう形成されているため、装置１０内において配置することが難しい。また、かかる大きな姿勢安定化部材１４は、装置全体の小型化に障害となる。
【００１９】
本発明は、かかる問題を解消するためになされたものであり、可撓性を有するディスクに対し、簡素な構成にて円滑に、可撓性を有する光ディスクの回転ブレを抑制することができる光ディスク装置を提供することを目的とする。
【課題を解決するための手段】
【００２０】
本発明の第１の態様は、可撓性を有するディスクに対し情報を記録および／もしくは再生するための光ディスク装置に関する。本態様に係る光ディスク装置は、前記ディスクにレーザ光を照射する光ピックアップ装置と、前記ディスクを回転させるディスク回転装置と、前記ディスクを記録および／もしくは再生するための回路部とを備える。ここで、前記光ピックアップ装置は、レーザ光源と、前記レーザ光源から出射されたレーザ光を収束させるレンズ部と、前記レンズ部を少なくとも光軸方向に駆動するためのアクチュエータと、前記ディスクの回転時に前記ディスクと前記対物レンズとの距離を安定させるスタビライザとを有する。
【００２１】
第１の態様に係る光ディスク装置によれば、前記ディスクの記録／再生部位におけるディスク面に垂直な方向の振動が小さくなるため、より安定した記録および／もしくは再生動作が行われ得る。また、スタビライザが光ピックアップ装置に配されているため、スタビライザは小型であっても記録／再生部位の振動を効果的に抑制することができる。よって、光ディスク装置の大型化を抑制しながらディスク面の振動による記録／再生特性の劣化を効果的に抑制することができる。
【００２２】
第１の態様に係る光ディスク装置において、前記光ピックアップ装置は、前記ディスクの上面側から前記レンズ部が前記ディスクに向き合うように配置され得る。こうすると、ディスク起動時からディスクが所定の回転速度に到達するまでの間に、ディスク面がスタビライザや光ピックアップ装置の他の構成部位に接するのを抑制することができる。
【００２３】
この場合、前記回路部は、前記ディスク回転装置を制御して前記ディスクを所定の回転速度に到達させた後に前記レンズ部と前記ディスクの間の間隔を所定の間隔に引き込むギャップサーボ部を有する構成とされ得る。こうすると、前記レンズ部と前記ディスクの間の間隔を所定の間隔に円滑に引き込むことができる。すなわち、ディスクが回転されると、遠心力によってディスクがレンズ部に接近する。そして、ディスクが所定の回転速度になると、ディスクとスタビライザとの間に流入する空気により、ディスクとスタビライザとの間の気圧が低下し、ディスクがスタビライザに引き寄せられる。これにより、ディスクの回転ブレが抑制され、ディスクとスタビライザの距離が空気流入によるエアギャップに保たれる。この状態となった後、レンズ部とディスクの間の間隔を所定の間隔に引き込む制御を行うことにより、かかる引き込みを円滑に行うことができる。
【００２４】
第１の態様に係る光ディスク装置において、前記レンズ部は、ソリッドイマージョンレンズおよび対物レンズを備える構成とされ得る。ここで、前記ソリッドイマージョンレンズは、前記対物レンズによって収束されたレーザ光を前記ディスク上に収束させるよう前記ディスク面に対向するよう配置される。こうすると、ソリッドイマージョンレンズおよび対物レンズにより、１より大きい開口数（ＮＡ）が実現されるため、スポット径が微小化され得る。
【００２５】
この場合、前記光ピックアップ装置は、前記レーザ光源から前記ソリッドイマージョンレンズへと向かう光路を逆行する前記レーザ光のうち前記ソリッドイマージョンレンズによって全反射されたレーザ光と同じ偏光方向のレーザ光を分離する分離光学系と、前記分離光学系によって分離された前記レーザ光を受光する光検出器とを有する構成とされ得る。また、前記ギャップサーボ部は、前記光検出器から出力される検出信号に基づいて前記ソリッドイマージョンレンズと前記ディスクとのギャップを調整するためのサーボ信号を生成する構成とされ得る。こうすると、ソリッドイマージョンレンズと前記ディスクとのギャップを調整するためのサーボ信号を簡素な構成により生成することができる。
【発明の効果】
【００２６】
以上のとおり本発明によれば、簡素な構成にて円滑に、可撓性を有する光ディスクの回転ブレを抑制できる光ディスク装置を提供することができる。
【００２７】
本発明の効果ないし意義は、以下に示す実施の形態の説明により更に明らかとなろう。ただし、以下の実施の形態は、あくまでも、本発明を実施する際の一つの例示であって、本発明は、以下の実施の形態に記載されたものに何ら制限されるものではない。また、本発明ないし各構成要件の用語の意義は、以下の実施の形態に記載されたものに制限されるものではない。
【発明を実施するための最良の形態】
【００２８】
以下、本発明の実施の形態につき図面を参照して説明する。
【００２９】
図１は、実施の形態に係るレンズアクチュエータを示す図である。
【００３０】
図１（ａ）を参照して、レンズホルダ１０１は、円柱と円錐が組み合わせられた形状であり、レーザ光を可撓性ディスクの記録層上に合焦させるためのレンズを収容している。レンズホルダ１０１の内部構成については、追って図３を参照して説明する。
【００３１】
ホルダ２０１は、直方体形状であり、開口部にレンズホルダ１０１を収容している。また、ホルダ２０１は、Ｘ軸に垂直な一対の側面部に、支持部２０１ａおよび２０１ｂを有する。
【００３２】
プリント基板２０２ａおよび２０２ｂは、ホルダ２０１のＹ軸に垂直な一対の側面部にそれぞれ固定されている。プリント基板２０２ａは、Ｘ軸正方向（同図Ｘ軸の矢印が向かう方向）に順にフォーカスコイル２０３、トラッキングコイル２０４およびチルトコイル２０５を備える。また、プリント基板２０２ｂは、Ｘ軸負方向にフォーカスコイル（図示せず）、トラッキングコイル（図示せず）およびチルトコイル（図示せず）を備える。
【００３３】
壁部３００ａは、アクチュエータベース３００の背部に形成されており、壁部３００ａの背後側側面にＹ軸方向の２つのネジ受けと、壁部３００ａをＹ軸方向に貫通するネジ受け３００ｂを有する。
【００３４】
基板３０１は、壁部３００ａの背後側側面に、ネジ受け３００ｂに対してネジ３０２により固定されている。また、基板３０１には、壁部３００ａの背後側側面のネジ受け（図示せず）と、ネジ受け３００ｄに対応する位置に、それぞれ、ネジを通すためのネジ穴が形成されている。また、基板３０１は、サスペンションワイヤー２０６ａ、２０６ｂに電気的に接続され、接続されたサスペンションワイヤー２０６ａ、２０６ｂに対し基板３０１を介して所定の電流が印加される。
【００３５】
サスペンションワイヤー２０６ａおよび２０６ｂは、それぞれ、電流を通す３本のワイヤーの束である。サスペンションワイヤー２０６ａおよび２０６ｂは、それぞれ、一方の端部がプリント基板２０２ａに固定された後、支持部２０１ａおよび２０１ｂに固定され、他方の端部が基板３０１に固定されている。これにより、レンズホルダ１０１を収容するホルダ２０１は、サスペンションワイヤー２０６ａおよび２０６ｂによって支えられる。
【００３６】
ここで、３つのサスペンションワイヤー２０６ａのうち、一番上のワイヤーが、フォーカスコイル２０３の入力端に接続されており、フォーカスコイル２０３の出力端は信号線によりプリント基板２０１ｂ側のフォーカスコイルの入力端に接続されている。プリント基板２０１ｂ側のフォーカスコイルの出力端は、サスペンションワイヤー２０６ａの一番下のワイヤーに接続されている。これにより、サスペンションワイヤー２０６ａの一番上と一番下のワイヤーを介して、これら２つのフォーカスコイルに電流（フォーカスサーボ信号）が印加される。
【００３７】
同様に、３つのサスペンションワイヤー２０６ｂのうち、一番上のワイヤーと一番下のワイヤーが、トラッキングコイル２０４およびプリント基板２０２ｂ側のトラッキングコイルと直列的に接続され、これら２つのトラッキングコイルが信号線により直列に接続されている。これにより、サスペンションワイヤー２０６ｂの一番上と一番下のワイヤーを介して、これら２つのトラッキングコイルに電流（トラッキングサーボ信号）が印加される。
【００３８】
また、３つのサスペンションワイヤー２０６ａの中央のワイヤーが、チルトコイル２０５の入力端に接続され、チルトコイル２０５の出力端は信号線によりプリント基板２０１ｂ側のチルトコイルの入力端に接続されている。プリント基板２０１ｂ側のチルトコイルの出力端は、３つのサスペンションワイヤー２０６ｂの中央のワイヤーに接続されている。これにより、サスペンションワイヤー２０６ａと２０６ｂの中央のワイヤーを介して、これら２つのチルトコイルに電流（チルトサーボ信号）が印加される。
【００３９】
同図（ｂ）を参照して、１対のマグネット２０７ａおよび２０７ｂは、同図（ａ）の状態から、それぞれ、ホルダ２０１をプリント基板２０２ａおよび２０２ｂを介してＹ軸正方向およびＹ軸負方向から挟み込むようにアクチュエータベース３００上に配置されている。また、ホルダ２０１、プリント基板２０２ａおよび２０２ｂが、Ｘ軸方向およびＺ軸方向に動くことができるよう、マグネット２０７ａおよび２０７ｂは、プリント基板２０２ａおよび２０２ｂに対して間隔を空けて配置されている。なお、マグネット２０７ａ、２０７ｂは、プリント基板２０２ａおよび２０２ｂに配された各コイルに電流を印加するとホルダ２０１にフォーカス方向、トラッキング方向およびチルト方向に駆動力が付与されるように磁極が調整されている。
【００４０】
同図（ｃ）を参照して、カバー２０８は、同図（ｂ）の状態から、アクチュエータベース３００の上面を覆うように取り付けられ、アクチュエータベース３００と一体的に動くよう固定されている。
【００４１】
カバー２０８は、レンズホルダ１０１を覆わず、且つホルダ２０１、プリント基板２０２ａおよび２０２ｂが、Ｘ軸方向およびＺ軸方向に動くことが妨げられないような形状とされている。さらに、カバー２０８は、Ｚ軸方向のネジ受け２０８ａおよび２０８ｄ、Ｙ軸方向のネジ受け２０８ｂおよび２０８ｃを有する。
【００４２】
カバー２０８が取り付けられた状態において、ネジ受け２０８ａないし２０８ｄにネジが留められるよう、カバー２０８における各ネジ受け部分の内側に空間が設けられている。すなわち、カバー２０８の外側からネジを取り付ける場合に、ネジの先端がカバー２０８内部にある部品と衝突することによって適正にネジを留められないことがないよう、あらかじめ各ネジ受け部分の内側に空間が設けられている。
【００４３】
このように配されたネジ受け２０８ａ、２０８ｂ、２０８ｃ、２０８ｄ、および壁部３００ａの背後側側面に形成された２つのネジ受けを用いて、アクチュエータベース３００とカバー２０８の一体構造に対してスタビライザを設置するためのネジ留めが行われる。なお、スタビライザについては、追って図４を参照して説明する。
【００４４】
図１のような構成とすると、フォーカスコイルに電流が印加されれば、マグネット２０７ａおよび２０７ｂによって生じる磁界により、プリント基板２０２ａおよび２０２ｂがＺ軸方向（フォーカス方向）に力を受ける。これにより、ホルダ２０１がＺ軸方向に移動される。同様に、トラッキングコイルに電流が印加されれば、ホルダ２０１がＸ軸方向（トラッキング方向）に移動され、チルトコイルに電流が印加されれば、Ｙ軸を中心とする方向（チルト方向）に回転される。
【００４５】
図２は、実施の形態に係るスタビライザの設置前の光ピックアップ装置を示す図である。図示の如く、ハウジング４００に、上記レンズアクチュエータおよび他の光学系が装着される。
【００４６】
ハウジング４００は、ネジ受け４００ａおよび４００ｂ、シャフト軸受け４００ｃ、４００ｄおよび４００ｅを有する。また、ハウジング４００は、内部に光学系を収容する。かかる光学系については、追って図３を参照して説明する。
【００４７】
図１で示したアクチュエータベース３００は、ネジ穴３００ｃおよび３０３ｄにおいて、ハウジング４００に一体的に取り付けられている。すなわち、アクチュエータベース３００のネジ穴３００ｃおよび３０３ｄが、それぞれ、ハウジング４００のネジ受け４００ａおよび４００ｂに対してネジ留めされる。
【００４８】
シャフト軸受け４００ｃ、４００ｄおよび４００ｅには、２本のシャフト（図示せず）がＸ軸方向に通される。すなわち、一方のシャフトがシャフト軸受け４００ｃおよび４００ｄに通され、他方のシャフトがシャフト軸受け４００ｅに通される。これにより、ハウジング４００は、モーター（図示せず）と駆動機構（図示せず）により、可撓性ディスクの径方向に駆動され得る。なお、図２においては、Ｘ軸正方向が可撓性ディスクの外周から内周に向かう方向であり、これとは反対のＸ軸負方向が可撓性ディスクの内周から外周に向かう方向である。
【００４９】
図３は、実施の形態に係る光学系を示す図である。同図（ａ）は、ハウジング４００に収容される光学系を示す図であり、同図（ｂ）は、レンズホルダ１０１の内部をＺ軸に垂直な方向から見た内部透視図である。
【００５０】
同図（ａ）および（ｂ）を参照して、光学系は、半導体レーザ５０１と、回折格子５０２と、コリメータレンズ５０３と、ビームスプリッタ５０４と、偏光ビームスプリッタ５０５と、立ち上げミラー５０６と、λ／４板５０７と、集光レンズ５０８と、光検出器５０９と、ミラー５１０と、コリメータレンズ５１１と、集光レンズ５１２と、シリンドリカルレンズ５１３と、光検出器５１４と、対物レンズ１０２と、ＳＩＬ（Solid Immersion Lens）１０３とを備えている。なお、ここでは、ビームスプリッタ５０５とミラー５１０が一体化されている。
【００５１】
同図（ａ）を参照して、半導体レーザ５０１は、青色波長（４００ｎｍ程度）のレーザ光をＹ軸負方向に出射する。かかるレーザ光は、偏光ビームスプリッタ５０５に対しＰ偏光とされている。
【００５２】
回折格子５０２は、半導体レーザ５０１から出射されるレーザ光を３ビームに分割する。なお、同図（ａ）および（ｂ）において、３ビーム化されたレーザ光の光路は、便宜上、半導体レーザ５０１から出射されるレーザ光と同様、１本の点線で表わされている。
【００５３】
回折格子５０２によって分割されたレーザ光は、コリメータレンズ５０３によって平行光に変換され、ビームスプリッタ５０４によって所定の比率で透過および反射される。ビームスプリッタ５０４を透過したレーザ光は、偏光ビームスプリッタ５０５を略全透過し、立ち上げミラー５０６によってＺ軸正方向に反射され、λ／４板５０７に入射する。λ／４板５０７は、レーザ光をＰ偏光から円偏光に変換する。
【００５４】
同図（ｂ）を参照して、λ／４板５０７を透過したレーザ光は、対物レンズ１０２により収束され、ＳＩＬ１０３に入射する。
【００５５】
ＳＩＬ１０３は、球面と平坦面とで構成される形状であり、平坦面が可撓性ディスクに近接することができるよう配されている。また、対物レンズ１０２とＳＩＬ１０３との組み合わせによる開口数（ＮＡ）は、１よりも大きい値となっている。なお、ＳＩＬ１０３としては、半球型、超半球型、コニカル型など、どのようなものを用いても良い。
【００５６】
ＳＩＬ１０３に入射するレーザ光のうち、臨界角よりも大きな入射角にてＳＩＬ１０３の平坦面に入射された外周部の光は、平坦面によって全反射される。このとき、ＳＩＬ１０３とディスクとの距離（以下、「ギャップＧ」という）が、一般にレーザ光の波長λの４分の１以上（ファーフィールド）の状態では平坦面によって全反射のみが起こり、ギャップＧが波長λの４分の１未満（ニアフィールド）になると、全反射された光（以下、「全反射光」という）のうち一部が可撓性ディスク表面へと伝搬する現象が生じる。この現象は、エバネッセント結合と呼ばれる。
【００５７】
記録および／もしくは再生時には、ギャップＧがニアフィールド内の所定の目標ギャップに保たれ、ＳＩＬ１０３で集光されたレーザ光は、可撓性ディスクの記録面に到達し、かかる記録面によって反射される。
【００５８】
全反射光は、再び対物レンズ１０２を通り、λ／４板５０７に入射する。全反射光はＳＩＬ１０３の平坦面で全反射する際に位相が反転しているため、λ／４板５０７に入射する全反射光は、円偏光からＰ偏光に変換される。λ／４板５０７側から入射する全反射光は、立ち上げミラー５０６によって進行方向がＹ軸正方向となり、偏光ビームスプリッタ５０５を略全透過する。
【００５９】
偏光ビームスプリッタ５０５を略全透過した全反射光は、ビームスプリッタ５０４によって所定の比率で透過および反射される。ビームスプリッタ５０４で反射された全反射光は、集光レンズ５０８により集光された後、光検出器５０９によって受光される。光検出器５０９は、受光した全反射光の強度に応じた信号（以下、「ギャップ信号」という）を出力する。かかる信号は、ギャップＧの制御に用いられる。
【００６０】
一方、記録面からの反射光は、再び対物レンズ１０２を通り、λ／４板５０７によって円偏光からＳ偏光に変換され、立ち上げミラー５０６によって進行方向がＹ軸正方向となり、偏光ビームスプリッタ５０５によって略全反射される。
【００６１】
偏光ビームスプリッタ５０５によって略全反射された反射光は、ミラー５１０によって全反射され、コリメータレンズ５１１によって収束光に変換され、集光レンズ５１２によって集光される。
【００６２】
集光レンズ５１２側によって集光された反射光は、シリンドリカルレンズ５１３によって非点収差を導入され、光検出器５１４によって受光される。光検出器５１４は、受光した記録面からの反射光の強度に応じた再生ＲＦ信号、フォーカスエラー信号およびトラッキングエラー信号を出力する。
【００６３】
図４は、スタビライザ設置後の光ピックアップ装置について示す図である。同図（ａ）、（ｃ）、（ｄ）、および（ｅ）は、スタビライザ６０１および６０２の取り付けについて示す図であり、同図（ｂ）は、スタビライザ６０１および６０２が設置され、光ピックアップ装置７００が完成した状態を示す図である。なお、同図（ｃ）および（ｄ）は、スタビライザ６０１の設置位置を同図（ｂ）のＡの方向から見た図であり、同図（ｅ）は、スタビライザ６０１の設置位置を同図（ｂ）のＢ方向から見た図である。
【００６４】
同図（ａ）、（ｃ）および（ｄ）を参照して、スタビライザ６０１および６０２は、上面および下面に矩形状の平坦面を有し、Ｚ軸方向に所定の厚みを有する。また、スタビライザ６０１および６０２の材質として、例えば、アルミニウムが用いられる。スタビライザ６０１は、Ｚ軸方向に貫通するネジ穴６０１ａと、Ｙ軸方向に貫通するネジ穴６０１ｂおよび６０１ｃを有する。ネジ穴６０１ｂおよび６０１ｃは、下面に形成された壁部６０１ｄに形成されている。同様に、スタビライザ６０２は、Ｚ軸方向に貫通するネジ穴６０２ａと、Ｙ軸方向に貫通するネジ穴６０２ｂおよび６０２ｃを有する。ネジ穴６０２ｂおよび６０２ｃは、下面に形成された壁部６０２ｄに形成されている。
【００６５】
また、同図（ｅ）を参照して、スタビライザ６０１の上面は、傾斜面６０１ｅおよび６０１ｆによって、Ｙ軸方向の幅が小さくなる方向に、それぞれ切れ込みが入れられている。同様に、スタビライザ６０２の上面は、傾斜面６０２ｅおよび６０２ｆによって、Ｙ軸方向の幅が小さくなる方向に、それぞれ切れ込みが入れられている。また、傾斜面６０１ｅおよび６０２ｅの傾斜は、傾斜面６０１ｆおよび６０２ｆよりもなだらかになっている。
【００６６】
同図（ａ）、（ｃ）、（ｄ）および（ｅ）を参照して、スタビライザ６０１は、下面と壁部６０１ｄがそれぞれカバー２０８の上面と側面に当てられた状態で、ネジ穴６０１ａを通して、Ｚ軸正方向からネジ受け２０８ａにネジ留めされる。しかる後、壁部６０１ｄに形成されたネジ穴６０１ｂおよび６０１ｃを通して、Ｙ軸正方向から、それぞれネジ受け２０８ｂおよび２０８ｃにネジ留めされる。また、スタビライザ６０２についても、同様に、下面と壁部６０２ｄがそれぞれカバー２０８の上面と基板３０１に当てられた状態で、ネジ穴６０２ａを通して、Ｚ軸正方向からネジ受け２０８ｄにネジ留めされる。しかる後、壁部６０２ｄに形成されたネジ穴６０２ｂおよび６０２ｃを通して、Ｙ軸負方向から、それぞれ壁部３００ａに形成されたネジ受けにネジ留めされる。
【００６７】
かかるネジ留めにより、スタビライザ６０１および６０２は、同図（ｂ）に示すように、カバー２０８、アクチュエータベース３００およびハウジング４００に対して固定される。こうして、光ピックアップ装置７００の組み立てが完成する。
【００６８】
図５は、スタビライザ６０１および６０２により、可撓性ディスクの回転ブレが抑制されることを示す図である。なお、回転ブレとは、回転により可撓性ディスクがディスク面に垂直な方向に振動することである。
【００６９】
同図（ａ）は可撓性ディスクの停止時または回転途中時の光ピックアップ装置と可撓性ディスクの関係を模式的に示す図であり、同図（ｂ）および（ｃ）は可撓性ディスクの回転速度が所定値に到達した時の光ピックアップ装置と可撓性ディスクの関係を模式的に示す図である。なお、同図（ｃ）は、同図（ｂ）をＹ軸負方向から（可撓性ディスクの外周から内周に向かって）見た図である。なお、光ピックアップ装置７００は、図１ないし図４におけるＺ軸正方向が重力の方向となるように下向きに配置される。
【００７０】
まず、図５（ａ）を参照して、可撓性ディスクおよび光ピックアップ装置７００の配置について説明する。
【００７１】
スピンドル７１０は、ターンテーブル７１１およびクランパー７１２を有する。ターンテーブル７１１は上面に凸部７１１ａを有し、クランパー７１２は下面に凹部７１２ａを有する。可撓性ディスクの中心部がスピンドル７１０に固定される場合、まず、記録面が上面（Ｚ軸負方向の面）となるよう、可撓性ディスクのセンターホールがターンテーブル７１１にＺ軸負方向から装着される（同図（ａ）に破線で図示）。しかる後、ターンテーブル７１１がクランパー７１２の真下からＺ軸負方向へ移動され、凸部７１１ａが凹部７１２ａに嵌り込むことにより、可撓性ディスクがスピンドル７１０に固定される。こうすると、ターンテーブル７１１がＺ軸を中心として回転することにより、可撓性ディスクが回転する。
【００７２】
また、可撓性ディスクは停止時において、図示の如く、重力により湾曲している。すなわち、スピンドル７１０に固定された可撓性ディスク中心部分の上面（Ｘ−Ｙ平面に平行な面）を基準面とすれば、可撓性ディスクは、径方向に内周から外周に向かって、重力によって基準面に対してＺ軸正方向に撓んでいる。
【００７３】
スタビライザ６０１および６０２の可撓性ディスクに対向する面（以下、「スタビライザ対向面」という）は、図示の如く、ＳＩＬ１０３の平坦面よりもＺ軸正方向に位置している。また、スタビライザ対向面が基準面に対して平行であり且つ基準面からＺ軸負方向に所定の距離だけ離れるように、光ピックアップ装置７００が設置されている。
【００７４】
なお、同図（ａ）の状態において、レンズホルダ１０１は、重力と釣り合う位置にサスペンションワイヤー２０６ａおよび２０６ｂによって吊られた状態にある。この状態からプリント基板２０２ａ、２０２ｂのフォーカスコイルに電流を印加してＺ軸正方向の駆動力を発生させると、レンズホルダ１０１はサスペンションワイヤー２０６ａおよび２０６ｂに抗してＺ軸正方向に変位し、可撓性ディスクに接近する。
【００７５】
次に、スタビライザ６０１および６０２により可撓性ディスクの回転ブレが抑制される手順について説明する。
【００７６】
可撓性ディスクがスピンドル７１０に固定された後、スピンドル７１０が回転される。このとき、可撓性ディスクは、遠心力により同図（ａ）の“停止時”の状態から“回転途中時”の状態に近づけられる。スピンドル７１０の回転速度が所定の値に近付くと、可撓性ディスクは、同図（ｂ）および（ｃ）の如く、スタビライザ６０１および６０２に引き寄せられる。すなわち、スタビライザ対向面に対向する可撓性ディスクの面（以下、「ディスク対向面」という）とスタビライザ対向面との間に空気が流入することにより、ディスク対向面とスタビライザ対向面との間の気圧が低下し、ディスク対向面がスタビライザ対向面に引き寄せられる。このとき、スピンドル７１０の回転速度が一定とされれば、かかる気圧が略一定となり、ディスク対向面の回転ブレが抑制される。
【００７７】
同図（ｃ）を参照して、傾斜面６０１ｅおよび６０２ｅとディスク対向面との間には、Ｘ軸負方向からの空気が流入する。このとき、傾斜面６０１ｅおよび６０２ｅの傾斜によってより多くの空気が集められ、スタビライザ対向面とディスク対向面との間に送られる。これにより、かかる対向面間の気圧が低下し、ディスク対向面がスタビライザ対向面に引き寄せられ、ディスク対向面の回転ブレが抑制される。
【００７８】
また、スタビライザの傾斜面６０１ｆおよび６０２ｆとディスク対向面との間から、
スタビライザ対向面とディスク対向面との間を流入した空気が送出される。このとき、傾斜面６０１ｆおよび６０２ｆによって、送出される空気の急激な気圧変化によるディスク対向面の振動が抑制される。
【００７９】
また、可撓性ディスクのＳＩＬ１０３に対向する面（以下、「検出ディスク面」という）は、直接スタビライザによって回転ブレが抑制されないため、微少ながら回転ブレが発生する。しかしながら、検出ディスク面は回転ブレが抑制されるディスク対向面の間に位置するため、上述したニアフィールド状態のようにＳＩＬ１０３と検出ディスク面が非常に接近した状態となっても、ＳＩＬ１０３と検出ディスク面が接触しない程度に、対象ディスク面の回転ブレが抑制される。
【００８０】
なお、記録および／もしくは再生時には、図５（ｂ）および（ｃ）の如く、検出ディスク面の回転ブレが抑制された後、ＳＩＬ１０３が可撓性ディスクに接近され、ニアフィールド内の所定の位置に位置づけられる。すなわち、図５（ｂ）および（ｃ）の状態となった後、レンズアクチュエータに対する駆動制御が行われ、ＳＩＬ１０３がニアフィールド内の所定の位置に位置づけられる。
【００８１】
また、シーク時には、可撓性ディスクの回転速度は減少されることなく、ＳＩＬ１０３がニアフィールド領域外の位置に退避された後、光ピックアップ装置７００がＸ軸方向に移動される。すなわち、スタビライザ６０１および６０２により、光ピックアップ装置７００は、接触することなく可撓性ディスクと略一定の距離を維持しながら移動される。これにより、高速アクセス性が実現され得る。
【００８２】
図６は、光検出器５０９からの信号（ギャップ信号）に基づいてレンズアクチュエータが駆動制御されることを説明する図である。同図（ａ）は、かかる駆動制御を行うための回路構成について示す図であり、同図（ｂ）は、光検出器５０９から出力されるギャップ信号が時間とともに変化することを示す図である。
【００８３】
信号演算回路８００は、Ｉ／Ｖ変換回路８０１、目標値生成回路８０２および比較回路８０３を有する。コントローラ８１０は、閾値生成回路８１１、比較回路８１２、切り替え部８１３およびサーチ信号生成部８１４を有する。サーボ回路８２０は、スイッチ８２１およびアクチュエータ駆動回路８２２を有する。
【００８４】
同図（ａ）を参照して、Ｉ／Ｖ変換回路８０１は、光検出器５０９から出力されるギャップ信号を電圧信号に変換し、目標値生成回路８０２、閾値生成回路８１１、比較回路８０３および比較回路８１２に出力する。
【００８５】
目標値生成回路８０２は、ＳＩＬ１０３がディスク対向面に対してファーフィールド状態である場合のギャップ信号Ｖｓ（同図（ｂ）参照）をホールドし、Ｖｓに対して所定の値ｋ１（ｋ１＜１）を乗じた値Ｖｔを、比較回路８０３に出力する。比較回路８０３は、入力された２つの信号の差分を、スイッチ８２１の端子８２１ａに出力する。
【００８６】
閾値生成回路８１１は、ＳＩＬ１０３がディスク対向面に対してファーフィールド状態である場合のギャップ信号Ｖｓ（同図（ｂ）参照）をホールドし、Ｖｓに対して所定の値ｋ２（ｋ１＜ｋ２＜１）を乗じた値Ｖｓｈを、比較回路８１２に出力する。比較回路８１２は、入力された２つの信号の差分を、切り替え部８１３に出力する。切り替え部８１３は、比較演算回路８１２の出力信号に基づいて、スイッチ８２１の切り替えを行う。サーチ信号生成部８１４は、サーチ信号をスイッチ８２１の端子８２１ｂに出力する。
【００８７】
スイッチ８２１は、切り替え部８１３の指令に応じて、サーチ状態のときは端子８２１ｂと８２１ｃを接続し、サーボ状態のときは端子８２１ａと８２１ｃを接続する。端子８２１ｃは、接続された端子８２１ａもしくは８２１ｂからの信号をアクチュエータ駆動回路８２２に出力する。アクチュエータ駆動回路８２２は、端子８２１ｃから入力された信号をもとに、レンズアクチュエータを駆動する。
【００８８】
次に、同図（ａ）および（ｂ）を参照して、ギャップＧが目標ギャップに維持されることを説明する。同図（ｂ）において、横軸は時間を表し、縦軸は光検出器５０９から出力されるギャップ信号を表している。
【００８９】
まず、切り替え部８１３は、スイッチ８２１をサーチ接続にする。すなわち、スイッチ８２１の端子８２１ｂと８２１ｃが接続される。こうすると、サーチ信号生成部８１４の出力信号がアクチュエータ駆動回路８２２に供給され、ＳＩＬ１０３が所定の速度でディスク対向面に近づけられる。
【００９０】
ＳＩＬ１０３がファーフィールドにある状態では、エバネッセント結合は生じないため、全反射光の強度に変化はない。このため、レンズアクチュエータがディスク対向面に向かって所定の速度で駆動されると、同図（ｂ）に示すように、ギャップ信号は略一定に推移する。
【００９１】
さらにＳＩＬ１０３がディスク対向面に近づけられニアフィールド領域に入ると、エバネッセント結合が起こる。エバネッセント結合により、ディスクへ伝搬する光は、ギャップＧが小さくなるほど大きくなり、それに伴い全反射光の強度は、同図（ｂ）に示すように、減少する。ギャップ信号がＶｓｈまで減少すると、比較回路８１２の出力信号が０となるため、切り替え部８１３は、スイッチ８２１をサーボ接続にする。すなわち、スイッチ８２１の端子８２１ａと８２１ｃが接続される。
【００９２】
スイッチ８２１がサーボ接続に切り替えられると、アクチュエータ駆動回路８２２は、比較回路８０３の出力信号が０となるよう、光ピックアップ装置内のレンズアクチュエータを駆動する。すなわち、ギャップ信号がＶｔとなるよう調整され、これにより、ギャップＧが目標ギャップに維持される。こうして、ＳＩＬ１０３のギャップ引き込みとギャップサーボが行われる。
【００９３】
図７は、実施の形態に係る光ディスク装置の構成を示す図である。なお、光ピックアップ装置７００は上述の構成を有している。また、信号演算回路８００、コントローラ８１０、サーボ回路８２０は、上記図６（ａ）に示す構成を備えている。
【００９４】
図示の如く、光ディスク装置は、エンコーダ９０１と、変調回路９０２と、レーザ駆動回路９０３と、復調回路９０４と、デコーダ９０５と、回転検出回路９０６と、スピンドルモータ９０７と、信号演算回路８００と、コントローラ８１０と、サーボ回路８２０と、光ピックアップ装置７００と、スピンドル７１０を備えている。
【００９５】
エンコーダ９０１は、入力された記録データに対し誤り訂正符号の付加等のエンコード処理を施し、変調回路９０２に出力する。変調回路９０２は、入力された記録データに変調を施し、さらに記録信号を生成してレーザ駆動回路９０３に出力する。
【００９６】
レーザ駆動回路９０３は、光ピックアップ装置７００内に配された半導体レーザ５０１をコントローラ８１０からの指令に応じて駆動する。すなわち、コントローラ８１０から記録指令が入力されると、レーザ駆動回路９０３は、変調回路９０２から入力される記録信号に応じてレーザ光が変調されるよう半導体レーザ５０１を駆動する。また、再生指令が入力されると、レーザ駆動回路９０３は、所定パワーにてレーザ光を出射するよう半導体レーザ５０１を駆動する。
【００９７】
信号演算回路８００は、光ピックアップ装置７００内に配された光検出器５０９および５１４からの出力信号を演算処理して、再生信号、フォーカスエラー信号、トラッキングエラー信号およびチルトエラー信号を生成し、これらをそれぞれ対応する回路に出力する。
【００９８】
復調回路９０４は、信号演算回路８００から入力された再生ＲＦ信号を復調して再生データを生成し、デコーダ９０５に出力する。デコーダ９０５は、復調回路９０４から入力された再生データに対し誤り訂正等のデコード処理を施し、これを後段回路（図示せず）に出力する。また、デコーダ９０５は、システムリードインおよびデータリードインから再生したデータをコントローラ８１０に出力する。
【００９９】
スピンドルモータ９０７は、サーボ回路８２０からの指令に応じてスピンドル７１０を回転駆動する。スピンドルモータ９０７は、スピンドル７１０が一回転する毎に参照信号をサーボ回路８２０に出力する。
【０１００】
サーボ回路８２０は、コントローラ８１０からの指令に応じて、光ピックアップ装置７００の駆動位置を制御する。また、サーボ回路８２０は、信号演算回路８００から入力されたフォーカスエラー信号、トラッキングエラー信号およびチルトエラー信号に基づいて、光ピックアップ装置７００内に配されたレンズアクチュエータを制御する。さらに、サーボ回路８２０は、回転検出回路９０６および信号演算回路８００の出力信号に基づいて、スピンドル７１０の回転制御を行う。また、信号演算回路８００は、図６で示したように、コントローラ８１０内に配された切り替え部８１３の指令に応じてスイッチ８２１の切り替えを行う。
【０１０１】
回転検出回路９０６は、スピンドルモータ９０７から供給される参照信号に基づいて、スピンドル７１０の回転速度を検出する。検出された回転速度はサーボ回路８２０およびコントローラ８１０に出力される。
【０１０２】
コントローラ８１０は、デコーダ９０５、回転検出回路９０６、光ピックアップ装置７００および信号演算回路８００から入力される信号に基づき、レーザ駆動回路９０３、信号演算回路８００およびサーボ回路８２０に対して指令を出す。
【０１０３】
図８は、ＳＩＬ１０３の引き込み処理が完了するまでの動作を示すフローチャートである。
【０１０４】
スタート直後は、可撓性ディスクが停止している初期状態である。Ｓ１では、光ピックアップ装置７００が、初期位置に向かってディスク径方向に移動される。初期位置とは、可撓性ディスクの読み出しが可能となる最内周位置である。
【０１０５】
Ｓ２では、光ピックアップ装置７００の初期位置への移動が完了したかが判断される。かかる判断は、光ディスク装置内の最内周位置に配されたリミットスイッチ（図示せず）が押されることによりなされる。すなわち、光ピックアップ装置７００が初期位置に到達した場合、光ピックアップ装置がリミットスイッチに衝突し、スイッチからの出力信号がコントローラ８１０に出力され、移動完了が判断される。移動の完了が検出されると（Ｓ２：ＹＥＳ）、光ピックアップ装置７００が停止されてＳ３に進み、未完了と判断された場合には（Ｓ２：ＮＯ）、移動が完了するまで光ピックアップ装置の移動が進められる。
【０１０６】
Ｓ３では、サーボ回路８２０によりスピンドル７１０が駆動され、可撓性ディスクが回転を開始する。
【０１０７】
Ｓ４では、可撓性ディスクの回転速度が所定の値に達したかどうかが判断される。かかる判断は、スピンドル７１０からの回転速度を検出する回転検出回路９０６の出力信号によりなされる。回転速度が所定の値に達した場合（Ｓ４：ＹＥＳ）、Ｓ５に進み、達していないと判断された場合（Ｓ４：ＮＯ）、所定の回転速度に達するまでスピンドル７１０の回転速度が高められる。
【０１０８】
また、回転速度が所定の値に達した場合（Ｓ４：ＹＥＳ）、図５（ｂ）および（ｃ）で示したように、スタビライザ対向面とディスク対向面との距離が、その間に流入する空気によって一定に保たれていると判断される。このため、スピンドル７１０の回転速度を維持した状態で、可撓性ディスクに対するＳＩＬ１０３の引き込み動作が開始される。
【０１０９】
Ｓ５では、サーチ動作が開始される。すなわち、図６で示したように、コントローラ８１０内に配された切り替え部８３１が、スイッチ８２１をサーチ接続に切り替え、サーチ電流生成部８１４の出力信号によってレンズアクチュエータが可撓性ディスクに近付く方向に駆動される。
【０１１０】
Ｓ６では、レンズアクチュエータの駆動に伴いギャップ信号が減少し、その値がＶｓｈに到達したかどうかが判断される。すなわち、図６で示したように、比較回路８１２からの出力信号が０となれば、ギャップ信号がＶｓｈに到達したと判断される。到達した場合（Ｓ６：ＹＥＳ）、Ｓ７に進み、到達していない場合（Ｓ６：ＮＯ）、ギャップ信号がＶｓｈとなるまでレンズアクチュエータの駆動が継続される。
【０１１１】
Ｓ７では、サーチ動作からサーボ動作に切り替えられる。すなわち、図６で示したように、切り替え部８３１がスイッチ８２１をサーボ接続に切り替える。これにより、図６で示したように、比較回路８０３からの出力信号が０となるよう、アクチュエータ駆動回路８２２がレンズアクチュエータの調整を開始する。結果、ギャップ信号がＶｔとなるよう調整され、ギャップＧが目標ギャップになるよう制御される。
【０１１２】
Ｓ８では、可撓性ディスクの回転制御が、回転検出回路９０６からの出力信号から、信号演算回路８００の再生ＲＦ信号に切り替えられる。こうすると、回転検出回路９０６の角速度による回転制御よりも、精度の高い回転制御が行われ得る。かかる回転制御は、たとえば、再生ＲＦ信号中の同期信号が所定の周期となるようにして行われる。
【０１１３】
以上、上記実施の形態の構成とすれば、光ピックアップ装置にスタビライザ６０１および６０２が設置されるため、小型のスタビライザ６０１、６０２にて、可撓性ディスクの記録／再生部位の回転ブレを効果的に抑制することができる。すなわち、スタビライザによる光ディスク装置の大型化を抑制しながら、可撓性ディスクの回転ブレを円滑に抑制することができる。
【０１１４】
また、スタビライザ６０１および６０２により、検出ディスク面の回転ブレが抑制されるため、ＳＩＬ１０３により可撓性ディスクの記録および／もしくは再生が行われる場合においても、回転ブレによるＳＩＬ１０３と可撓性ディスクとの接触が避けられる。これにより、可撓性ディスクの記録および／もしくは再生が、適正に行われ得る。よって、本実施の形態によれば、光ディスク装置の大型化を抑制しながらディスク面の振動による記録／再生特性の劣化を効果的に抑制することができる。
【０１１５】
また、本実施の形態によれば、可撓性ディスクの上面側からＳＩＬ１０３が可撓性ディスクに向き合うように光ピックアップ装置７００が配置されているため、可撓性ディスクの起動時から所定の回転速度に到達するまでの間に、ディスク面がスタビライザや光ピックアップ装置７００の他の構成部位に接するのを抑制することができる。
【０１１６】
さらに、本実施の形態によれば、可撓性ディスクを所定の回転速度に到達させた後にＳＩＬ１０３のギャップ引き込みを行うようにしているため、ＳＩＬ１０３のギャップ引き込みを円滑に行うことができる。すなわち、図５を参照して説明したように、可撓性ディスクが回転されると、遠心力によって可撓性ディスクがＳＩＬ１０３に接近する。そして、可撓性ディスクが所定の回転速度になると、可撓性ディスクとスタビライザ６０１、６０２との間に流入する空気により、可撓性ディスクとスタビライザ６０１，６０２との間の気圧が低下し、可撓性ディスクがスタビライザ６０１，６０２に引き寄せられる。これにより、可撓性ディスクの回転ブレが抑制され、可撓性ディスクとスタビライザ６０１、６０２の距離が空気流入によるエアギャップに保たれる。この状態となった後、ＳＩＬ１０３に対するギャップ引き込みを行うことにより、かかる引き込み動作を円滑に行うことができる。
【０１１７】
また、本実施の形態によれば、ソリッドイマージョンレンズ１０３と対物レンズ１０２によってレーザ光を収束させているため、ソリッドイマージョンレンズ１０３と対物レンズ１０２により、１より大きい開口数（ＮＡ）を実現でき、スポット径を微小なものとすることができる。
【０１１８】
さらに、ＳＩＬ１０３と可撓性ディスクとのギャップを検出するための検出光学系が、ビームスプリッタ５０４、偏光ビームスプリッタ５０５および光検出器５０９により構成されるため、ギャップサーボのためのサーボ信号を簡素な検出光学系により生成することができる。
【０１１９】
以上、本発明の実施形態について説明したが、本発明は、上記実施形態に制限されるものではなく、また、本発明の実施形態も、上記以外に種々の形態をとることができる。
【０１２０】
たとえば、上記実施例では、スタビライザ６０１および６０２の上面および下面は矩形状としたが、図９（ａ）ないし（ｆ）に示すように、他の形状としても良い。なお、上記実施例と同様、同図（ａ）ないし（ｆ）に示すいずれの形状においても、スタビライザは、上面および下面に平坦面を有し、上面の面積は、傾斜面の切れ込みにより、下面に比べ小さくなるよう設定されている。
【０１２１】
同図（ａ）を参照して、スタビライザ６１０および６１１は、可撓性ディスクの形状に合わせた形状となっている。すなわち、スタビライザ６１０の辺６１０ａおよび６１０ｂ、スタビライザ６１１の辺６１１ａおよび６１１ｂは、可撓性ディスクの曲率方向と同じ向きの円弧形状となっている。また、スタビライザ６１０の辺６１０ｃおよび６１０ｄ、スタビライザ６１１の辺６１１ｃおよび６１１ｄは、スピンドル７１０に装着されたときの可撓性ディスクの径方向に略平行である。こうすると、可撓性ディスクの内側トラックよりも回転ブレが大きい外側トラックにおいて、より広範囲にディスク対向面の回転ブレが抑制され得る。
【０１２２】
同図（ｂ）ないし（ｄ）を参照して、図示の如く、スタビライザ６２０、６３０および６４０によっても、ディスク対向面の回転ブレが抑制され得る。
【０１２３】
同図（ｅ）を参照して、スタビライザ６５０は、光ピックアップ装置７００の広範囲を覆っている。また、レンズアクチュエータに対応するスタビライザ６５０の面には、レンズアクチュエータの機能を妨げることがないよう、穴が開けられている。こうすると、ＳＩＬ１０３の周囲において可撓性ディスクの回転ブレが抑制されるため、検出ディスク面の回転ブレが、さらに抑制され得る。
【０１２４】
同図（ｆ）を参照して、スタビライザ６６０は、光ピックアップ装置７００の広範囲を覆いながら、可撓性ディスクの形状に合わせた形状となっている。すなわち、スタビライザ６６０の辺６６０ａおよび６６０ｂは、可撓性ディスクの曲率方向と同じ向きの円弧形状となっている。また、スタビライザ６６０の辺６６０ｃおよび６６０ｄは、可撓性ディスクの径方向に略平行である。こうすると、同図（ｅ）と同様の結果に加え、可撓性ディスクの内側トラックよりも回転ブレが大きい外側トラックにおいて、より広範囲にディスク対向面の回転ブレが抑制され得る。
【０１２５】
また、上記実施の形態の図４（ｅ）で示したスタビライザ６０１および６０２の傾斜面６０１ｆおよび６０２ｅの形状を、図４（ｅ）から図１０のように変更しても良い。
【０１２６】
図１０（ａ）は、図４（ｅ）の傾斜面６０１ｆを６０１ｇに変更したことを示す図である。図４（ｅ）の傾斜面６０１ｆに比べて、スタビライザ６０１の上面のうち最もＳＩＬ１０３に近い部分が、Ｙ軸に沿ってＳＩＬ１０３へと近づけられている。こうすると、ＳＩＬ１０３により近い範囲で可撓性ディスクの回転ブレが抑制されるため、検出ディスク面の回転ブレが、さらに抑制され得る。
【０１２７】
図１０（ｂ）は、図４（ｅ）の傾斜面６０２ｅを６０２ｇに変更したことを示す図である。図４（ｅ）の傾斜面６０２ｅに比べて、スタビライザ６０２の上面のうち最もＳＩＬ１０３に近い部分が、Ｙ軸に沿ってＳＩＬ１０３へと近づけられている。こうすると、図４（ｅ）の傾斜面６０２ｄに比べて、多くの空気を集めることができなくなるため、スタビライザ６０２によって回転ブレが抑制されにくくなる。しかしながら、図１０（ａ）と同様、傾斜面６０２ｇによって、検出ディスク面の回転ブレが、さらに抑制され得る。
【０１２８】
図１０（ｃ）は、図４（ｅ）の傾斜面６０１ｆおよび６０２ｅを、図１０（ａ）および（ｂ）で示した傾斜面６０１ｇおよび６０２ｇに変更したことを示す図である。この場合も、同図（ａ）および（ｂ）で示した結果が得られる。また、ＳＩＬ１０３が可撓性ディスクに臨む位置以外の広い範囲においてスタビライザ６０１、６０２が可撓性ディスクに対向するため、検出ディスク面の回転ブレを一層効果的に抑制することができる。
【０１２９】
図１０（ｄ）は、図４（ｅ）の傾斜面６０１ｆおよび６０２ｅを、それぞれ、６０１ｈおよび６０１ｉ、６０２ｈおよび６０２ｉに変更したことを示す図である。傾斜面６０１ｈおよび６０１ｉは、それぞれ、スタビライザ６０１の上面および下面を、レンズホルダ１０１に向かって切り込みを入れるように形成されている。同様に、傾斜面６０２ｈおよび６０２ｉも、それぞれ、スタビライザ６０２の上面および下面を、レンズホルダ１０１に向かって切り込みを入れるように形成されている。また、レンズホルダ１０１およびレンズアクチュエータは、Ｚ軸正方向に駆動されても、傾斜面６０１ｉおよび６０２ｉと接触しないよう、各傾斜面が形成されている。
【０１３０】
こうすると、スタビライザ６０１の空気の送出部において、急激な気圧の変化によって発生する可撓性ディスクの回転ブレが、傾斜面６０１ｈにより抑制され得る。また、スタビライザ６０１の空気の流入する部分において、傾斜面６０２ｈにより多くの空気が集められる。これにより、スタビライザ６２０によってディスク対向面の回転ブレが抑制され易くなる。同時に、傾斜面６０１ｉおよび６０２ｉにより妨げられることがないため、レンズホルダ６０１ｈおよびレンズアクチュエータのＺ軸方向への駆動範囲が、図１０（ａ）ないし（ｃ）と同様に維持され得る。
【０１３１】
また、上記実施の形態では、光検出器５０９を、図３（ａ）および図６（ａ）に示したように、円形状としたが、全反射光を受光できる形状であれば、例えば、方形状など他の形状としても良い。
【０１３２】
また、上記実施の形態では、シーク時には、可撓性ディスクの回転速度を低下させることなく、光ピックアップ装置７００がＸ軸方向に移動されたが、可撓性ディスクの回転速度を低下させた後、光ピックアップ装置７００が移動されても良い。こうすると、スタビライザ対向面と可撓性ディスクとの距離が大きくなるため、確実に光ピックアップ装置７００と可撓性ディスクが接触することなく、光ピックアップ装置７００の移動が行われ得る。なお、光ピックアップ装置７００の移動が完了し、再び回転ブレが抑制されるためには、上記手順と同様、スピンドル７１０が所定の回転速度となれば良い。
【０１３３】
また、上記実施の形態では、スタビライザ６０１および６０２の素材は、アルミニウムとされたが、空気圧によって変形しない程度の固さを有する部材であれば良い。また、スタビライザの固定方法はネジ留めに限らず、接着による固定でも良い。
【０１３４】
さらに、上記実施の形態では、レーザ光を収束させるためのレンズ部を対物レンズ１０２とＳＩＬ１０３の組み合わせによって構成したが、かかるレンズ部を対物レンズのみあるいはＳＩＬ１０３のみによって構成しても良く、あるいは、対物レンズ１０２とＳＩＬ１０３に他のレンズを組み合わせるようにしても良い。
【０１３５】
この他、本発明の実施の形態は、特許請求の範囲に示された技術的思想の範囲内において、適宜、種々の変更が可能である。
【図面の簡単な説明】
【０１３６】
【図１】実施の形態に係るレンズアクチュエータを示す図
【図２】実施の形態に係るハウジングを示す図
【図３】実施の形態に係る光ピックアップ装置の光学系を示す図
【図４】実施の形態に係る光ピックアップ装置を示す図
【図５】実施の形態に係るスタビライザの作用を示す図
【図６】実施の形態に係るレンズアクチュエータの駆動回路を説明する図
【図７】実施の形態に係る光ディスク装置の構成を示す図
【図８】実施の形態に係るＳＩＬの引き込み処理の流れを示すフローチャート
【図９】実施の形態に係るスタビライザの他の構成例を示す図
【図１０】実施の形態に係るスタビライザの他の構成例を示す図
【図１１】実施の形態に係る従来例について説明する図
【符号の説明】
【０１３７】
１０２  …  対物レンズ（レンズ部）
１０３  …  ＳＩＬ（レンズ部）
５０１  …  半導体レーザ（レーザ光源）
５０４  …  ビームスプリッタ（分離光学系）
５０５  …  偏光ビームスプリッタ（分離光学系）
５０９  …  光検出器（光検出器）
６０１、６０２、６１０、６１１、６２０、６３０、６４０、６５０、６６０  …  スタビライザ
７００  …  光ピックアップ装置
７１０  …  スピンドル（ディスク回転装置）
８００  …  コントローラ（ギャップサーボ部）
８２０  …  サーボ回路（ギャップサーボ部）
９０６  …  回転検出回路（ギャップサーボ部）
８２１  …  スイッチ（ギャップサーボ部）
８２２  …  アクチュエータ駆動回路（ギャップサーボ部）
【図１】
2010135042.tif 000003
【図２】
2010135042.tif 000004
【図３】
2010135042.tif 000005
【図４】
2010135042.tif 000006
【図５】
2010135042.tif 000007
【図６】
2010135042.tif 000008
【図７】
2010135042.tif 000009
【図８】
2010135042.tif 000010
【図９】
2010135042.tif 000011
【図１０】
2010135042.tif 000012
【図１１】
2010135042.tif 000013